(57)【要約】【課題】外出する際は、必要に応じてショルダーバッグを持って出ても、リュックサックの方が良かった。ハンドバッグの方が良かった等と中々思うように行かないがが、シヨルダーバッグを持って外出しても、必要に応じて切り替え出来る３ウエイバッグを提供する。【解決手段】バッグの正面と背面に蝶蝶型ホックを取り付け、背面の上部にベルトを内部に通して誘導する固定布を、底面にＤカンおよびナスカンを取り付けて、バッグに付属するベルトの長さを調節することにより、ハンドバッグにも、ショルダーバッグにも、リュックサックにも切り替えることの出来ることを特徴とする。【選択図】図１
2017148376.tif 000002
【特許請求の範囲】
【請求項１】
ベルトとバッグの素材は、布を使用したバッグ本体（１）を正面から見て、上部面の左右にベルト取り付けのためＤカン（２−１）を設け、中間には内部を線ファスナー（７）を設け、背面から正面を被う布（４）で被って磁気ホックの凹凸で固定するようにして、またその下には、蝶蝶型磁気ホック「正面」（３）を一方の端を糸で縫って固定し、他方はバッグ（１）側には蝶蝶型磁気ホック凹部（３−２）と、蝶蝶型磁気ホック（３）側には、蝶蝶型磁気ホック凸部（３−１）を設けて、内部にベルト（２）を通してから凹凸を合体してベルト（２）を上下に移動できる構造にして、背面側にも蝶蝶型磁気ホック「背面」（５）を正面と同様の構造にして、蝶蝶型磁気ホック「背面」（５）の中にベルトを入れる事と、下部ナスカン（２−２）とＤカン（２−１）をベルト（２）を入れて連結できる構造にして、更に一番上部には、ベルトを内部に通して誘導する固定布（６）を左右糸で縫って固定し、内部にベルトを入れられる構造にして、ショルダーバック及びリュックサックに切り替えることが、移動カン（２−３）でベルトの長さを調整して３つの役目をする事ができることを特徴とする３ウエイバッグ。
【請求項２】
ベルト（２）、バッグ本体（１）の素材を布から皮又は、合成樹脂系の素材に変えて使用する請求項１記載の３ウエイバッグ。
【発明の詳細な説明】
【技術分野】
【０００１】
ショルダーバッグをハンドバッグにもリュックサックにも使える３ウエイバッグに関する。
【背景技術】
【０００２】
ショルダーバッグとハンドバッグとリュックサックと３つを用意して置かなければ大変不便であるが、必要時にベルトを調整してシヨルダーバッグにも、ハンドバッグにも、リュックサックにもベルトの調整で切り替えがする事が出来る。
［特許文献１］特開２０１５−７７２５２号公報（ストラップ並びにそのストラップが取り付けられたショルダーバッグ及びリュックサック）、［特許文献２］特開２０１４−２１２８９４号公報（リュックサック）、［特許文献３］特許５７７３４７０号公報（ショルダーバッグ）に記載があるが構造の違いが大きい。
【先行技術文献】
【特許文献】
【０００３】
【特許文献１】特開２０１５−７７２５２号公報
【特許文献２】特開２０１４−２１２８９４号公報
【特許文献３】特許５７７３４７０号公報
【発明の概要】
【発明が解決しようとする課題】
【０００４】
外出する際は、必要に応じてショルダーバッグを持って出ても、リュックサックの方が良かった。
またハンドバッグの方が良かった等と中々思うように行かないのが一般的である。
シヨルダーバッグを持って外出しても、必要に応じてシヨルダーバッグにもなり又、リュックサックにもなる便利な物がないかと探しても市販されている物はない。
ショルダーバッグを選んで外出しても、場所によってハンドバッグの方が良かったと云う場合もあり、選択がとても難しい場合がある。
これは何とか解決しなければならない課題であり、これを解決するために発明したものである。
【課題を解決するための手段】
【０００５】
課題を解決するために本発明は以下の構成とした。
バッグ本体（１）を正面から見て、上部面のベルト取り付けのためＤカン（２−１）を左右に設け、中間には内部に線ファスナー（７）を設け、背面から正面を被う布（４）で被って、磁気ホックの凹凸で固定するようにした。
【０００６】
またその下には、蝶蝶型磁気ホック「正面」（３）の一方の端を糸で縫って固定し、他方の端の裏側には、蝶蝶型磁気ホック凸部（３−１）を設け、中にベルトを入れて磁気ホックの凹凸で固定出来るようにした。
又、背面にも蝶蝶型磁気ホック「背面」（５）を正面同様に凹凸で合体出来る構造にした。
背面から正面の上部を被う布（４）の内側は、磁気ホック凸部（４−１）を設けて、バッグ側には磁気ホック凹部（４−２）を設け、内部にベルト（２）を通してから凹凸を合体してベルト（２）を上下に移動できる構造にした。
図３のように、蝶蝶型磁気ホック「背面」（５）の中にベルトを入れる事と、下部ナスカン（２−２）とＤカン（２−１）で連結出来る構造にした。
【０００７】
本発明は、ハンドバッグとして使用しながら、ショルダーバッグに切り替えたり、リュックサックに切り替えたり、移動カン（２−３）でベルトの長さを調整して3つの役目をするのが大きな特徴である。
リュックサックに切り替える時は、左右両端を糸でぬって内部にベルトを通して誘導する布（６）の内部を通す必要がある。
【発明の効果】
【０００８】
本発明は，以下の効果を有する。
ショルダーバッグを使用して、ハンドバッグの方が良いと判断した時は、短時間でベルトの調整でハンドバッグにでも、リュックサックにでも切り替える事が出来る。
その為、外出の際は安心して行動が出来る。
【図面の簡単な説明】
【０００９】
【図１】ベルトを長くした３ウエイバッグ正面斜視図
【図２】ハンドバッグに切り替えるため蝶蝶型磁気ホックで固定した正面図
【図３】ハンドバッグに切り替えるため蝶蝶型磁気ホックで固定した背面図
【図４】ベルトを外した状態の背面説明図
【図５】ベルトを内部に通して誘導する固定布に入れて中間や下部を外した背面説明図
【図６】リュックサックとして使えるベルトにした背面図
【図７】３ウエイバッグ内部説明図
【図８】使用例「Ａ」リュックサック  「Ｂ」ショルダーバッグ  「Ｃ」ハンドバッグ
【発明を実施するための形態】
【００１０】
以下本発明の実施形態について説明する。
バッグ本体（１）を正面から見て、上部面の左右にベルト取り付けのためＤカン（２−３）を設け、中間には内部を線ファスナー（７）で、閉じて見えないようにしてから、背面から正面を被う布（４）で被って磁気ホックの凹凸で固定するようにした。
【００１１】
またその下には、蝶蝶型磁気ホック「正面」（３）の一方の端を糸で縫って固定し、他方の端の裏側には、蝶蝶型磁気ホック凸部（３−１）を設け、中にベルトを入れて蝶蝶型磁気ホックの凹凸で合体出来るようにした。
又、背面にも蝶蝶型磁気ホック「背面」（５）を正面同様に凹凸で合体出来るようにしたため凹凸を合体してベルト（２）を上下に移動できる構造にした。
また、背面側にも蝶蝶型磁気ホック「背面」（５）を正面と同様の構造にした。
図３のように、蝶蝶型磁気ホック「背面」（５）の中にベルトを入れる事と、下部ナスカン（２−２）とＤカン（２−１）でベルト（２）を入れて連結出来る構造にした。
前記下部ナスカン（２−２）とＤカン（２−１）内部にベルトを通すため重要である。
【００１２】
本発明は、ハンドバッグとして使用しながら、ショルダーバッグに切り替えたり、リュックサックに切り替えたり、移動カン（２−３）でベルトの長さを調整して3つの役目をするのが大きな特徴である。
必要のないものは、外出時に持ち出す必要がない。
しかし、ハンドバッグを持って外出をしたが後で、ショルダーバッグの方が良かったまた、リュックサックの方が好かった等と、必要がないと思って外出したが後で必要になる事は多々ある。
そのような場合は、３ウエイバッグであれば、ベルトの長さを調整して満足の行く気持ちで行動できる。
【００１３】
３ウエイバッグ本体（１）を、ショルダーバッグからをハンドバッグに切り替える方法を下記に記載する。
ベルト（２）の中間部をバッグ（１）の底に下ろし、背面下部のナスカン（２−２）とＤカン（２−１）を、ベルト（２）を内部に入れ連結して、更に上部の蝶蝶型磁気ホック凸部「背面」（５−１）と蝶蝶型磁気ホック凹部「背面」（５−２）で合体させてベルトを持ち上げてハンドバッグとして使用することが出来る。（図２）
【００１４】
３ウエイバッグ本体（１）を、ハンドバッグからリュックサックに切り替える方法を下記に記載する。
ベルト（２）の移動カン（２−３）を調整して、長くして中間部をバッグ（１）の背面の  ベルトを内部に通して誘導する固定布（６）の中に入れ、更に蝶蝶型磁気ホック「背面」（５）の凹凸部を外してベルト（２）を中に入れて、更に最下部のＤカン（２−１）とナスカン（２−２）でベルト（２）の中間部を中に入れて連結するとリュックサックとして使用できる。（図６）
【符号の説明】
【００１５】
（１）    バッグ本体
（２）    ベルト
（２−１）   Ｄカン
（２−２） ナスカン
（２−３） 移動カン
（３）    蝶蝶型磁気ホック「正面」
（３−１） 蝶蝶型磁気ホック凸部「正面」
（３−２） 蝶蝶型磁気ホック凹部「正面」
（４）    背面から正面の上部を被う布
（４−１） 磁気ホック凸部
（４−１） 磁気ホック凹部
（５）    蝶蝶型磁気ホック「背面」  
（５−１） 蝶蝶型磁気ホック凸部「背面」
（５−２） 蝶蝶型磁気ホック凹部「背面」   
（６）    ベルトを内部に通して誘導する固定布
（７）    線ファスナー
【図１】
2017148376.tif 000003
【図２】
2017148376.tif 000004
【図３】
2017148376.tif 000005
【図４】
2017148376.tif 000006
【図５】
2017148376.tif 000007
【図６】
2017148376.tif 000008
【図７】
2017148376.tif 000009
【図８】
2017148376.tif 000010
【手続補正書】
【提出日】平成28年9月30日(2016.9.30)
【手続補正１】
【補正対象書類名】特許請求の範囲
【補正対象項目名】全文
【補正方法】変更
【補正の内容】
【特許請求の範囲】
【請求項１】
ベルトとバッグの素材は、布を使用したバッグ本体（１）を正面から見て、上部面の左右にナスカンを取り付けたベルト取り付けのためＤカン（２−１）を設け、左側のＤカンと右側のＤカンの中間には内部に線ファスナー（７）を設け、中を開いて物を入れられるようにして、背面から正面を被う布（４）で被って磁気ホックの凹凸で固定するようにして、その下には、蝶蝶型磁気ホック「正面」（３）を左側の端を糸で縫って固定し、固定側を中心に回動自在にできるようにして、右側の端を、バッグ（１）側には蝶蝶型磁気ホック凹部（３−２）と、蝶蝶型磁気ホック（３）側には、蝶蝶型磁気ホック凸部（３−１）を設けて、内部にベルト（２）を通してから凹凸を合体してベルト（２）を上下に移動できる構造にして、背面側にも蝶蝶型磁気ホック「背面」（５）を正面と同様の構造にして、蝶蝶型磁気ホック「背面」（５）の中にベルトを入れる事と、下部ナスカン（２−２）は、ベルト（２）を入れてから連結できる構造にして、ベルト（２）を入れて連結できる構造にして、前記蝶蝶型磁気ホック「背面」（５）の上部には、ベルトを内部に通して誘導する固定布（６）を左右糸で縫って固定し、内部にベルトを入れられる構造にして、移動カン（２−３）でベルトの長さを調整して、ショルダーバックとリュックサックとハンドバックに切り替えることが、できる事を特徴とする３ウエイバッグ。
【請求項２】
ベルト（２）、バッグ本体（１）の素材を布から皮又は、合成樹脂系の素材に変えて
使用する請求項１記載の３ウエイバッグ。
【手続補正書】
【提出日】平成28年12月19日(2016.12.19)
【手続補正１】
【補正対象書類名】特許請求の範囲
【補正対象項目名】全文
【補正方法】変更
【補正の内容】
【特許請求の範囲】
【請求項１】
ベルト（２）とバック本体（１）の素材は布を使用し、「ショルダーバックとして
使用する場合は」、移動カン（２−３）でベルト（２）を肩に掛けられる長さに調整
し、蝶蝶型磁気ホック（３）も、固定布（６）も、Ｄカン（２−１）、ナスカン
（２−２）も使用せずにショルダーバックとして使用し、「リュックサックとして使
用する場合は」、移動カン（２−３）でベルトを一番長く調整し、背面から見て、上
部固定布（６）の中にベルト（２）を上から通し、下部Ｄカン（２−１）とナスカ
ン（２−２）を、ベルト（２）を中に入れてから連結して、リュックサックとして
使用し、「ハンドバックとして使用する場合は」、正面から見て移動カン（２−３）
でベルトを一番短く調整して、背面下部にあるＤカン（２−１）とナスカン（２−
２）は、中にベルト（２）を通してから連結し、ハンドバックとして使用し、３つ
に切り替え出来るようにした事を特徴とする３ウエイバック。
【請求項２】
ベルト（２）と、バック本体（１）の素材は、布から皮又は、合成樹脂系の素材に
変えて使用する請求項１記載の３ウエイバック。
【手続補正書】
【提出日】平成29年3月15日(2017.3.15)
【手続補正１】
【補正対象書類名】特許請求の範囲
【補正対象項目名】全文
【補正方法】変更
【補正の内容】
【特許請求の範囲】
【請求項１】
ベルトとバックの素材は、布を使用したバック本体（１）を正面から見て、上部面
の左右に、ベルトの両端に設けられたナスカン（２−２）を取り付けるためのＤカ
ン（２−１）を設け、左側のＤカンと右側のＤカンの中間には内部に線ファスナー
（７）を設け、中を開いて物を入れられるようにして、背面から正面を被う布（４）
で被って磁気ホックの凹凸で固定するようにして、その下には、蝶蝶型磁気ホック
「正面」（３）を左側の端を糸で縫って固定し、固定側を中心に回動自在にできるよ
うにして、右側の端を、バック（１）側には蝶蝶型磁気ホック凹部（３−２）と、
蝶蝶型磁気ホック（３）側には、蝶蝶型磁気ホック凸部（３−１）を設けて、内部
にベルト（２）を通してから凹凸を合体してベルト（２）を上下に移動できる構造
にして、背面側にも蝶蝶型磁気ホック「背面」（５）の中にベルトを入れる事と、バ
ック本体（１）の最下部に形成された下部ナスカン（２−２）と下部Ｄカン（２−
１）は、ベルト（２）を入れてから連結できる構造にして、前記蝶蝶型磁気ホック
「背面」（５）の上部には、ベルトを内部に通して誘導する固定布（６）を左右糸で
縫って固定し、内部にベルトを入れられる構造にして、ベルト（２）の移動カン（２
−３）でベルトの長さを調整でき、ショルダーバックとリュックサックとハンドバ
ックに切り替えるものであって、ショルダーバックとして使用する場合は、ベルト
の両端に設けられたナスカン（２−２）と上面部の左右のＤカン（２−１）とを連
結し、移動カン（２−３）でベルト（２）を肩に掛けられる長さに調整し、蝶蝶型
磁気ホック（３）も、固定布（６）も、下部ナスカン（２−２）と下部Ｄカン
（２−１）も使用せず、リュックサックとして使用する場合は、ベルトの両端に設
けられたナスカン（２−２）と上面部の左右のＤカンを連結し、移動カン（２−３）
でベルトを一番長く調整し、背面から見て、上部固定布（６）の中にベルト（２）
を上から通し、下部Ｄカン（２−１）と下部ナスカン（２−２）を、ベルト（２）
を中に入れてから連結し、ハンドバックとして使用する場合は、ベルトの両端に
設けられたナスカン（２−２）と上面部の左右どちらかのＤカン（２−１）とを
連結し、正面から見て移動カン（２−３）でベルトを一番長く調整して下部Ｄカン
（２−１）と、下部ナスカン（２−２）は、中にベルト（２）を通してから連結し、
ベルトの両端に設けられたナスカン（２−２）の内の他方と、上面部の左右の残り
のＤカン（２−１）とを連結し、３つの形態に切り替え出来るようにした事を特徴
とする３ウエイバック。
【請求項２】
ベルト（２）と、バック本体（１）の素材は、布から皮又は、合成樹脂系の素材に
変えて使用する請求項１記載の３ウエイバック。